(57)【要約】【課題】組み立て後の横框と縦框の接合部分表面の鉋かけの必要がなく、湿気による襖紙の波打ちが生じず、襖紙の張替えが楽でしかも仕上がりが綺麗であり、部品の分解や交換が可能である襖に関するものである。【解決手段】襖本体１よりも横框３が高く、横框３よりも縦框２が高い、段差を有する構造とした。２枚の襖紙５で襖本体１の全体に貼り付ける。襖本体１の左右端部に固定された複数の木ネジ４のネジ頭を縦框２の第２縦溝７の側面に食い込ませて縦框２を上方向に移動させることにより、縦框２を襖本体１に固定する。釘１２を抜くことで横框３をはずすことができ、縦框２を下方向に移動させることではずすことができる。【選択図】        図１
0003141177.tif 000002
【実用新案登録請求の範囲】
【請求項１】
襖が襖本体と襖本体に貼り付けられる襖紙と襖本体の左右端に取り付けられる縦框と襖本体の上下端に取り付けられる横框とから構成され、
複数の木ネジが襖本体の左右端面の長さ方向の直線上に係合用のネジ頭とネジ首を所定の長さ突出させた状態で所定の間隔をあけて垂直に固定され、
２枚の襖紙が襖本体の前後両面に貼り合わされ前後の襖紙の余った端部を襖本体の上下左右の端面に重ねた状態で貼り合わされ、
縦框の内側に襖本体の厚さと同じ幅と所定の深さを有する第１縦溝が長さ方向に貫通して形成され、
第１縦溝の底部に木ネジの突出部の長さと同じ深さとネジ首の直径と同じ横幅を有する第２縦溝が長さ方向に形成され、
縦框を襖本体との整合位置より所定の距離分下げた位置で襖本体に固定された複数の木ネジと対応する位置の第２縦溝にネジ頭を挿入可能な幅広溝部が形成され、
横框の内側に襖本体の厚さと同じ幅と所定の深さを有する横溝が長さ方向に貫通して形成され、
横框の左右端部には襖本体の左右の整合位置に固定されて上下の端部を襖本体の長さより上下に突出させた縦框の第１縦溝に嵌め込むための縦長の横張出部が形成され、
上の横框の上側と下の横框の下側には鴨居に嵌めるための横長の縦張出部が形成されており、
襖紙が貼られた襖本体の左右から突出した上記木ネジを左右の縦框の幅広溝部に挿入し、
襖紙が貼られた襖本体の左右端部を上記左右の縦框の第１縦溝に挿入し、
左右の縦框を上方向に襖本体との整合位置まで強制的に移動させ、
前記縦框の移動により木ネジの突出部が幅広溝部から第２縦溝にネジ頭を強制的に食い込ませながら移動することにより縦框を整合位置で襖本体に係合固定し、
上下の横框の左右の横張出部を襖本体の上下から突出している縦框の上下の第１縦溝に挿入し襖紙が貼られた襖本体の上下端部を上記上下の横框の横溝に挿入し、
釘で上下の横框を襖本体の上下の端面に固定して組み立てられた襖において、
前後の厚みは襖本体よりも横框が厚く横框よりも縦框が厚く形成され、
組み立てられた上下の横框の前後表面と襖本体の前後表面の高さは襖本体より横框の方が高い段差が形成され、
組み立てられた左右の縦框の前後表面と横框の前後表面と襖本体の前後表面の高さは襖本体より横框の方が高く横框より縦框の方が高い段差が形成されていることを特徴とする襖。
【請求項２】
木ネジの突出部が移動時の抵抗により上方向に傾斜した状態で縦框に食い込んで係合していることを特徴とする請求項１記載の襖。
【請求項３】
縦框の第２縦溝が長さ方向に貫通して形成されていることを特徴とする請求項１または２記載の襖。
【請求項４】
襖の組み立て後、左右の縦框の上下部分を加工して横框の縦張出部を縦框側に延設したことを特徴とする請求項１、２または３記載の襖。
【請求項５】
少なくとも縦框と横框が木製であることを特徴とする請求項１、２、３または４記載の襖。
【請求項６】
少なくとも縦框の外側の端面に組み立て後の鉋かけを想定した木材が貼り合わされて形成されていることを特徴とする請求項１、２、３、４または５記載の襖。
【請求項７】
横框及び縦框の前後表面に薄い化粧木材が貼り合わされて形成されていることを特徴とする請求項１、２、３、４、５または６記載の襖。
【請求項８】
釘を抜くことで上下の横框が分解可能であり、幅広溝部が木ネジの位置にくるまで縦框を下方向に移動させることで左右の縦框を分解可能であることを特徴とする請求項１、２、３、４、５、６または７記載の襖。
【考案の詳細な説明】
【技術分野】
【０００１】
本考案は、組み立て後の横框と縦框の接合部分を水平にする鉋かけの必要がなく、湿気による襖紙の波打ちが生じず、襖紙の張替えが楽でしかも仕上がりが綺麗であり、部品の分解や交換が可能である襖に関するものである。
【背景技術】
【０００２】
従来の襖は、芯となる襖本体と、襖本体の縁を形成する上下の横框と左右の縦框を組んだ枠によって構成されている。左右の縦框と上下の横框は、縦框の上下内側に形成されたほぞ穴に横框の左右に形成されたほぞを挿入した状態で接着固定されている。縦框と横框の前後の厚みは同じである。縦框と横框は正確な加工が難しい木工品で、厚みや、ほぞやほぞ穴の位置に多少誤差があるため、組み立てた縦框と横框の前後の表面に段差が生じるので、職人が鉋をかけて段差を消す作業が必要であった（図１６参照。）。襖紙は、縦框と横框で組まれた枠の内側と同じ形に正確にカットして、襖本体の前後両面の露出している部分に貼り付けられていた。
【考案の開示】
【考案が解決しようとする課題】
【０００３】
上記した従来の襖は、組み立てた後に横框と縦框の接合部分の前後の表面が段差のない平面になるように鉋をかけなければならず、その作業のための時間を要していた。また、縦框と横框の段差をなくす鉋かけの作業は、職人の技術と経験が必要であった。襖紙を襖本体の露出した部分とまったく同じ形にカットし、カットした襖紙を正確に襖本体に貼り付けることは、非常に難易度の高い作業であり、失敗しやすく、仕上がりを美しくするのは至難の業であった。襖紙は襖本体の露出した表面部分にただ貼られているだけなので、湿気の影響を受けやすく、湿気で襖紙がふやけると緩んで波のような凹凸ができてしまっていた。襖紙は、損傷、汚れ、湿気でできた凹凸などが原因で、張替えが必要となるが、上記したように、襖紙のカットと貼り付け作業は非常に難しいため、張替えに失敗することがよくあった。襖は時間が経つと、湿気などで撓んできたり、鴨居に接している部分が磨耗しできたり、一部が損傷したりするが、従来の襖は分解できないので、再利用できる部品があったとしても、古いものは廃棄して、新しい襖と交換していた。近年、縦が約２ｍもある襖を使用している住宅があるが、縦に長くなった襖は非常にしなりやすくなるため、開け閉めのたびに前後に揺れてしまう。
【０００４】
本考案は、上記の問題点を解決した襖を提供することを目的とする。
【課題を解決するための手段】
【０００５】
請求項１記載の本考案は、襖が襖本体と襖本体に貼り付けられる襖紙と襖本体の左右端に取り付けられる縦框と襖本体の上下端に取り付けられる横框とから構成され、複数の木ネジが襖本体の左右端面の長さ方向の直線上に係合用のネジ頭とネジ首を所定の長さ突出させた状態で所定の間隔をあけて垂直に固定され、２枚の襖紙が襖本体の前後両面に貼り合わされ前後の襖紙の余った端部を襖本体の上下左右の端面に重ねた状態で貼り合わされ、縦框の内側に襖本体の厚さと同じ幅と所定の深さを有する第１縦溝が長さ方向に貫通して形成され、第１縦溝の底部に木ネジの突出部の長さと同じ深さとネジ首の直径と同じ横幅を有する第２縦溝が長さ方向に形成され、縦框を襖本体との整合位置より所定の距離分下げた位置で襖本体に固定された複数の木ネジと対応する位置の第２縦溝にネジ頭を挿入可能な幅広溝部が形成され、横框の内側に襖本体の厚さと同じ幅と所定の深さを有する横溝が長さ方向に貫通して形成され、横框の左右端部には襖本体の左右の整合位置に固定されて上下の端部を襖本体の長さより上下に突出させた縦框の第１縦溝に嵌め込むための縦長の横張出部が形成され、上の横框の上側と下の横框の下側には鴨居に嵌めるための横長の縦張出部が形成されており、襖紙が貼られた襖本体の左右から突出した上記木ネジを左右の縦框の幅広溝部に挿入し、襖紙が貼られた襖本体の左右端部を上記左右の縦框の第１縦溝に挿入し、左右の縦框を上方向に襖本体との整合位置まで強制的に移動させ、前記縦框の移動により木ネジの突出部が幅広溝部から第２縦溝にネジ頭を強制的に食い込ませながら移動することにより縦框を整合位置で襖本体に係合固定し、上下の横框の左右の横張出部を襖本体の上下から突出している縦框の上下の第１縦溝に挿入し襖紙が貼られた襖本体の上下端部を上記上下の横框の横溝に挿入し、釘で上下の横框を襖本体の上下の端面に固定して組み立てられた襖において、前後の厚みは襖本体よりも横框が厚く横框よりも縦框が厚く形成され、組み立てられた上下の横框の前後表面と襖本体の前後表面の高さは襖本体より横框の方が高い段差が形成され、組み立てられた左右の縦框の前後表面と横框の前後表面と襖本体の前後表面の高さは襖本体より横框の方が高く横框より縦框の方が高い段差が形成されていることを特徴とする。
【０００６】
請求項２記載の本考案は、請求項１記載の襖において、木ネジの突出部が縦框の移動時の抵抗により上方向に傾斜した状態で縦框に食い込んで係合していることを特徴とする。
【０００７】
請求項３記載の本考案は、請求項１または２記載の襖において、縦框の第２縦溝が長さ方向に貫通して形成されていることを特徴とする。
【０００８】
請求項４記載の本考案は、請求項１、２または３記載の襖において、襖の組み立て後、左右の縦框の上下部分を加工して横框の縦張出部を縦框側に延設したことを特徴とする。
【０００９】
請求項５記載の本考案は、請求項１、２、３または４記載の襖において、少なくとも縦框と横框が木製であることを特徴とする。
【００１０】
請求項６記載の本考案は、請求項１、２、３、４または５記載の襖において、少なくとも縦框の外側の端面に組み立て後の鉋かけを想定した木材が貼り合わされて形成されていることを特徴とする。
【００１１】
請求項７記載の本考案は、請求項１、２、３、４、５または６記載の襖において、横框及び縦框の前後表面に薄い化粧木材が貼り合わされて形成されていることを特徴とする。
【００１２】
請求項８記載の本考案は、請求項１、２、３、４、５、６または７記載の襖において、釘を抜くことで上下の横框が分解可能であり、幅広溝部が木ネジの位置にくるまで縦框を下方向に移動させることで左右の縦框を分解可能であることを特徴とする。
【考案の効果】
【００１３】
上記した本考案に係わる襖は、前後の厚みが、襖本体よりも横框が厚く、横框よりも縦框が厚く形成され、組み立てられた上下の横框の前後表面と襖本体の前後表面の高さは襖本体より横框の方が高い段差が形成され、組み立てられた左右の縦框の前後表面と横框の前後表面と襖本体の前後表面の高さは襖本体より横框の方が高く横框より縦框の方が高い段差が形成されているため、組み立てた後の鉋かけ作業が不要である。横框と縦框を組み立てるだけで完成であり、鉋がけによる表面調整は必要ない。
【００１４】
２枚の襖紙で襖本体の前後両面と上下左右の端面の計６面を完全に包む形で貼り付ける構造なので、作業が非常に簡単である。職人の技術や経験をそれほど必要としない。襖紙の貼り付け作業において、カットと貼り付けの両方で失敗が出ない。襖本体の全面が襖紙で覆われているため、仕上がりが非常に綺麗である。
【００１５】
襖紙が襖本体を完全に包んでいるため湿気が内側に入りにくく、襖紙が湿気を吸ったとしても上下左右からピンと張られているので波のような凹凸ができない。
【００１６】
襖紙の張替えをする場合、まず横框と縦框を分解する。釘を抜いて上下の横框を縦框からはずし、幅広溝部が木ネジの位置にくるまで縦框を下方向に移動させることで左右の縦框を襖本体からはずす。つぎに襖本体の襖紙を張り替える。２枚の襖紙で襖本体の前後両面と上下左右の端面の計６面を完全に包む形で貼り付ける。最後に縦框と横框を組み立てる。襖紙のカットと貼り付け作業における失敗がなく、仕上がりが綺麗である。
【００１７】
襖が湿気で撓んでしまったり、鴨居に接している部分が磨耗してしまったり、部分的に損傷してしまった場合は、釘を抜いて上下の横框を縦框からはずし、幅広溝部が木ネジの位置にくるまで縦框を下方向に移動させることで左右の縦框を襖本体からはずし、必要な部分だけを新しいものと交換し、使える部分は再利用することができる。
【考案を実施するための最良の形態】
【００１８】
以下、本考案の実施の形態を図面に基づいて説明するが、本考案がこれにのみ限定されるべきでないことはいうまでもない。
【００１９】
図中１は、襖の芯となる襖本体である。図中４は、襖本体１の左右端面の長さ方向の直線上に係合用のネジ頭とネジ首を所定の長さ突出させた状態で所定の間隔をあけて垂直に固定された複数の木ネジである。本実施形態の木ネジ４４は左右に９本づつ固定されている。図中５は、襖本体１の前後両面に貼り合わされ前後の襖紙５の余った端部を襖本体１の上下左右の端面に重ねた状態で貼り合わされた２枚の襖紙５である。図中２は、内側に襖本体１の厚さと同じ幅と所定の深さを有する第１縦溝６が長さ方向に貫通して形成され、第１縦溝６の底部に木ネジ４の突出部の長さと同じ深さとネジ首の直径と同じ横幅を有する第２縦溝７が長さ方向に形成され、縦框２を襖本体１との整合位置より所定の距離分下げた位置で襖本体１に固定された複数の木ネジ４と対応する位置の第２縦溝７にネジ頭を挿入可能な幅広溝部８が形成された左右の縦框である。図中３は、内側に襖本体１の厚さと同じ幅と所定の深さを有する横溝９が長さ方向に貫通して形成され、左右端部には襖本体１の左右の整合位置に固定されて上下の端部を襖本体１の長さより上下に突出させた縦框２の第１縦溝６に嵌め込むための縦長の横張出部１０が形成され、鴨居側に横長の縦張出部１１が形成された上下の横框３である。縦框２の外側の端面に組み立て後の鉋かけを想定した木材が貼り合わせておくことができる。横框３及び縦框２の前後表面に薄い化粧木材が貼り合わせておいてもよい。
【００２０】
襖は上記した、襖本体１、襖本体１に貼り付けられる襖紙５、襖本体１の左右端に取り付けられる縦框２、襖本体１の上下端に取り付けられる横框３とから成る。襖本体１の前後両面から２枚の襖紙５を貼り付け、襖紙５の余った端を襖本体１の上下左右の端面に重ねて貼り付ける（図６、図７、図８参照。）。縦框２の幅広溝部８に襖紙５が貼られた襖本体１の左右から突出している木ネジ４を挿入し（図１２の右の縦框２を参照。）、縦框２が整合位置になるまで上方向に強制的に移動させる（図１２の左の縦框２を参照。）。縦框２を移動させる方法は限定しないが、ハンマーで叩いて移動させることができる。木ネジ４のネジ頭が縦框２の第２縦溝７の側面に食い込みながら移動し、縦框２は襖本体１の整合位置で係合固定される。木ネジ４の突出部が移動時の抵抗により上方向に傾斜した状態で縦框２に食い込んで係合している場合、より強力に係合固定される。整合位置の縦框２は、襖本体１の上下から頭を突出させた形となる。縦框２を上方向に移動させる理由は、設置後に本体と横框３が下にずり落ちないようにするためである。上下の横框３の左右の横張出部１０を襖本体１の上下から突出している縦框２の上下の第１縦溝６に挿入し襖紙５が貼られた襖本体１の上下端部を上記上下の横框３の横溝９に挿入する。釘１２で上下の横框３を襖本体１の上下の端面に固定する。以上で襖の組み立て完了である。図では最初から縦框２に横框３の縦張出部１１を延設した部分を加工しているが、襖の組み立て後に左右の縦框２の上下部分を加工して横框３の縦張出部１１を縦框２側に延設してもよい。
組み立てられた上下の横框３の前後表面と襖本体１の前後表面の高さは襖本体１より横框３の方が高い段差が形成され、組み立てられた左右の縦框２の前後表面と横框３の前後表面と襖本体１の前後表面の高さは襖本体１より横框３の方が高く横框３より縦框２の方が高い段差が形成される。分解する場合は、釘１２を抜いて横框３をはずし、縦框２を幅広溝部８が木ネジ４の位置になるまで下方向に移動させることにより縦框２をはずす。本考案の襖は、組み立て分解が自由である。
【図面の簡単な説明】
【００２１】
【図１】本考案に係わる襖の背面の角部分をあらわす斜視図。
【図２】本考案に係わる襖の正面の角部分をあらわす斜視図。
【図３】本考案に係わる襖をあらわす正面図。
【図４】本考案に係わる襖をあらわす背面図。
【図５】側面に木ネジを固定した襖本体をあらわす横断面図。
【図６】襖紙の一部を省略して襖本体に襖紙を貼った状態をあらわす説明図。
【図７】襖本体に２枚の襖紙を貼った状態をあらわす横断面図。
【図８】襖本体に２枚の襖紙を貼った状態をあらわす正面図。
【図９】縦框の内側をあらわす右が上である側面図。
【図１０】縦框の横断面図。
【図１１】幅広溝部における縦框の横断面図。
【図１２】すでに左の縦框が襖本体に取り付けられ、これから右の縦框を襖本体に取り付ける段階をあらわす説明図。
【図１３】上下の横框を襖本体に取り付ける状態をあらわす説明図。
【図１４】本考案に係わる襖をあらわす右が上である縦断面図。
【図１５】本考案に係わる襖を２枚立てた状態をあらわす横断面図。
【図１６】従来の襖の縦框と横框をあらわす斜視図。
【符号の説明】
【００２２】
１    襖本体
２    縦框
３    横框
４    木ネジ
５    襖紙
６    第１縦溝
７    第２縦溝
８    幅広溝部
９    横溝
１０    横張出部
１１    縦張出部
１２    釘
【図１】
0003141177.tif 000003
【図２】
0003141177.tif 000004
【図３】
0003141177.tif 000005
【図４】
0003141177.tif 000006
【図５】
0003141177.tif 000007
【図６】
0003141177.tif 000008
【図７】
0003141177.tif 000009
【図８】
0003141177.tif 000010
【図９】
0003141177.tif 000011
【図１０】
0003141177.tif 000012
【図１１】
0003141177.tif 000013
【図１２】
0003141177.tif 000014
【図１３】
0003141177.tif 000015
【図１４】
0003141177.tif 000016
【図１５】
0003141177.tif 000017
【図１６】
0003141177.tif 000018